(57)【要約】【課題】大きなバッテリを取り付けても、作業時にトップハンドルを把持した掌または手首への干渉を抑えることができ、作業時の取り回しを良くできる電動作業機を提供する。【解決手段】チェンソー１Ａ（電動作業機）であって、本体ケース１０と、本体ケース１０から前方に突出している切断部２０（作業工具）と、切断部２０を駆動させるモータ３０と、バッテリ９０と、を備えている。本体ケース１０の上部にはトップハンドル４０が設けられ、本体ケース１０の左側面には横ハンドル５０が設けられている。トップハンドル４０の後方には、バッテリ９０が着脱自在に設置されるバッテリ部１２が設けられている。また、トップハンドル４０の後方には、トップハンドル４０を把持した掌または手首への干渉を抑えるための干渉低減手段１００，２００，３００が設けられている。【選択図】図２
2020157407.tif 000002
【特許請求の範囲】
【請求項１】
本体ケースと、
前記本体ケースの前部から前方に突出している作業工具と、
前記作業工具を駆動させるモータと、
前記モータに電力を供給するバッテリと、を備え、
前記本体ケースに前記モータが収容され、
前記本体ケースの上部には、前後方向に延びているトップハンドルが設けられ、
前記本体ケースの左右一方の側面には、横ハンドルが設けられており、
前記トップハンドルの後方には、前記バッテリが着脱自在に設置されるバッテリ部が設けられるとともに、
前記トップハンドルの後方には、前記トップハンドルを把持した掌または手首への干渉を抑えるための干渉低減手段が設けられており、
前記干渉低減手段は、前記バッテリ部の前面と左右他方の側面との間の角部において、前記バッテリの前面と対向する部位の上端部を、前記トップハンドルの上端部よりも下方に配置することで構成されていることを特徴とする電動作業機。
【請求項２】
本体ケースと、
前記本体ケースの前部から前方に突出している作業工具と、
前記作業工具を駆動させるモータと、
前記モータに電力を供給するバッテリと、を備え、
前記本体ケースに前記モータが収容され、
前記本体ケースの上部には、前後方向に延びているトップハンドルが設けられ、
前記本体ケースの左右一方の側面には、横ハンドルが設けられており、
前記トップハンドルの後方には、前記バッテリが着脱自在に設置されるバッテリ部が設けられるとともに、
前記トップハンドルの後方には、前記トップハンドルを把持した掌または手首への干渉を抑えるための干渉低減手段が設けられており、
前記干渉低減手段は、前記バッテリの前面と左右他方の側面との間の角部において、前記バッテリの前面の上部に、前記バッテリの前面に対して窪み部を形成することで構成されていることを特徴とする電動作業機。
【請求項３】
本体ケースと、
前記本体ケースの前部から前方に突出している作業工具と、
前記作業工具を駆動させるモータと、
前記モータに電力を供給するバッテリと、を備え、
前記本体ケースに前記モータが収容され、
前記本体ケースの上部には、前後方向に延びているトップハンドルが設けられ、
前記本体ケースの左右一方の側面には、横ハンドルが設けられており、
前記トップハンドルの後方には、前記バッテリが着脱自在に設置されるバッテリ部が設けられるとともに、
前記トップハンドルの後方には、前記トップハンドルを把持した掌または手首への干渉を抑えるための干渉低減手段が設けられており、
前記干渉低減手段は、前記バッテリ部の左右中央を、前記トップハンドルの把持部の左右中央を通過している前後方向の軸線に対して左右一方側に配置することで構成されていることを特徴とする電動作業機。
【請求項４】
本体ケースと、
前記本体ケースの前部から前方に突出している作業工具と、
前記作業工具を駆動させるモータと、
前記モータに電力を供給するバッテリと、を備え、
前記本体ケースに前記モータが収容され、
前記本体ケースの上部には、前後方向に延びているトップハンドルが設けられ、
前記本体ケースの左右一方の側面には、横ハンドルが設けられており、
前記トップハンドルの後方には、前記バッテリが着脱自在に設置されるバッテリ部が設けられるとともに、
前記トップハンドルの後方には、前記トップハンドルを把持した掌または手首への干渉を抑えるための干渉低減手段が設けられており、
前記干渉低減手段は、前記バッテリの後端部よりも前端部が左右一方側に配置されるように傾斜した状態で、前記バッテリを前記バッテリ部に取り付けることで構成されていることを特徴とする電動作業機。
【請求項５】
本体ケースと、
前記本体ケースの前部から前方に突出している作業工具と、
前記作業工具を駆動させるモータと、
前記モータに電力を供給するバッテリと、を備え、
前記本体ケースに前記モータが収容され、
前記本体ケースの上部には、前後方向に延びているトップハンドルが設けられ、
前記本体ケースの左右一方の側面には、横ハンドルが設けられており、
前記トップハンドルの後方には、前記バッテリが着脱自在に設置されるバッテリ部が設けられるとともに、
前記トップハンドルの後方には、前記トップハンドルを把持した掌または手首への干渉を抑えるための干渉低減手段が設けられており、
前記干渉低減手段は、前記バッテリの下端部よりも上端部が左右一方側に配置されるように傾斜した状態で、前記バッテリを前記バッテリ部に取り付けることで構成されていることを特徴とする電動作業機。
【請求項６】
請求項１から請求項５のいずれか一項に記載の電動作業機であって、
前記バッテリ部は、上部が下部よりも後方に配置されるように傾斜していることを特徴とする電動作業機。
【請求項７】
請求項１から請求項６のいずれか一項に記載の電動作業機であって、
前記バッテリの上端部は、前記トップハンドルの後端部の下端縁よりも上方に配置されていることを特徴とする電動作業機。
【請求項８】
請求項１から請求項６のいずれか一項に記載の電動作業機であって、
前記バッテリの上端部は、前記トップハンドルの後端部の上端縁よりも上方に配置されていることを特徴とする電動作業機。
【発明の詳細な説明】
【技術分野】
【０００１】
本発明は、電動作業機に関する。
【背景技術】
【０００２】
従来の電動式のチェンソーとしては、本体ケースにモータが収容されるとともに、本体ケースの後端部にはバッテリを取り付けるバッテリ部が設けられているものがある（例えば、特許文献１参照）。このようなチェンソーでは、バッテリを本体ケース内に収容する場合に比べて、大きなバッテリを取り付けることができる。
【先行技術文献】
【特許文献】
【０００３】
【特許文献１】特許第５５３０１８６号公報
【発明の概要】
【発明が解決しようとする課題】
【０００４】
前記した従来のチェンソーでは、本体ケースの上部にトップハンドルが形成されるとともに、本体ケースの左側面に横ハンドルが取り付けられている。この構成では、作業者は左手で横ハンドルを持つとともに、右手でトップハンドルを持つことになる。前記した従来のチェンソーでは、バッテリ部およびバッテリがトップハンドルよりも右側に大きく突出している。
【０００５】
作業者から比較的に遠方の対象物を切断するために、チェンソーを作業者から少し遠ざけるときには、作業者の右手をトップハンドルから本体ケースの後方に向けてやや伸ばすことが好ましい。しかしながら、前記した従来のチェンソーでは、右手の掌や手首がバッテリ部やバッテリの右側部に干渉し、右手がトップハンドルに対して右側に開いた状態となるため、作業者から比較的に遠方の対象物を切断し難いという問題がある。このように、従来のチェンソーでは、バッテリ部およびバッテリが手の動きに対して障害となる場合がある。
【０００６】
本発明は、前記した問題を解決し、大きなバッテリを取り付けても、作業時にトップハンドルを把持した掌または手首への干渉を抑えることができ、作業時の取り回しを良くできる電動作業機を提供することを課題とする。
【課題を解決するための手段】
【０００７】
前記課題を解決するため、第一の発明は、電動作業機であって、本体ケースと、前記本体ケースの前部から前方に突出している作業工具と、前記作業工具を駆動させるモータと、前記モータに電力を供給するバッテリと、を備えている。前記本体ケースに前記モータが収容され、前記本体ケースの上部には、前後方向に延びているトップハンドルが設けられ、前記本体ケースの左右一方の側面には、横ハンドルが設けられている。前記トップハンドルの後方には、前記バッテリが着脱自在に設置されるバッテリ部が設けられている。また、前記トップハンドルの後方には、前記トップハンドルを把持した掌または手首への干渉を抑えるための干渉低減手段が設けられている。前記干渉低減手段は、前記バッテリ部の前面と左右他方の側面との間の角部において、前記バッテリの前面と対向する部位の上端部を、前記トップハンドルの上端部よりも下方に配置することで構成されている。
【０００８】
前記課題を解決するため、第二の発明は、電動作業機であって、本体ケースと、前記本体ケースの前部から前方に突出している作業工具と、前記作業工具を駆動させるモータと、前記モータに電力を供給するバッテリと、を備えている。前記本体ケースに前記モータが収容され、前記本体ケースの上部には、前後方向に延びているトップハンドルが設けられ、前記本体ケースの左右一方の側面には、横ハンドルが設けられている。前記トップハンドルの後方には、前記バッテリが着脱自在に設置されるバッテリ部が設けられている。また、前記トップハンドルの後方には、前記トップハンドルを把持した掌または手首への干渉を抑えるための干渉低減手段が設けられている。前記干渉低減手段は、前記バッテリの前面と左右他方の側面との間の角部において、前記バッテリの前面の上部に、前記バッテリの前面に対して窪み部を形成することで構成されている。
【０００９】
前記課題を解決するため、第三の発明は、電動作業機であって、本体ケースと、前記本体ケースの前部から前方に突出している作業工具と、前記作業工具を駆動させるモータと、前記モータに電力を供給するバッテリと、を備えている。前記本体ケースに前記モータが収容され、前記本体ケースの上部には、前後方向に延びているトップハンドルが設けられ、前記本体ケースの左右一方の側面には、横ハンドルが設けられている。前記トップハンドルの後方には、前記バッテリが着脱自在に設置されるバッテリ部が設けられている。また、前記トップハンドルの後方には、前記トップハンドルを把持した掌または手首への干渉を抑えるための干渉低減手段が設けられている。前記干渉低減手段は、前記バッテリ部の左右中央を、前記トップハンドルの把持部の左右中央を通過している前後方向の軸線に対して左右一方側に配置することで構成されている。
【００１０】
前記課題を解決するため、第四の発明は、電動作業機であって、本体ケースと、前記本体ケースの前部から前方に突出している作業工具と、前記作業工具を駆動させるモータと、前記モータに電力を供給するバッテリと、を備えている。前記本体ケースに前記モータが収容され、前記本体ケースの上部には、前後方向に延びているトップハンドルが設けられ、前記本体ケースの左右一方の側面には、横ハンドルが設けられている。前記トップハンドルの後方には、前記バッテリが着脱自在に設置されるバッテリ部が設けられている。また、前記トップハンドルの後方には、前記トップハンドルを把持した掌または手首への干渉を抑えるための干渉低減手段が設けられている。前記干渉低減手段は、前記バッテリの後端部よりも前端部が左右一方側に配置されるように傾斜した状態で、前記バッテリを前記バッテリ部に取り付けることで構成されている。
【００１１】
前記課題を解決するため、第五の発明は、電動作業機であって、本体ケースと、前記本体ケースの前部から前方に突出している作業工具と、前記作業工具を駆動させるモータと、前記モータに電力を供給するバッテリと、を備えている。前記本体ケースに前記モータが収容され、前記本体ケースの上部には、前後方向に延びているトップハンドルが設けられ、前記本体ケースの左右一方の側面には、横ハンドルが設けられている。前記トップハンドルの後方には、前記バッテリが着脱自在に設置されるバッテリ部が設けられている。また、前記トップハンドルの後方には、前記トップハンドルを把持した掌または手首への干渉を抑えるための干渉低減手段が設けられている。前記干渉低減手段は、前記バッテリの下端部よりも上端部が左右一方側に配置されるように傾斜した状態で、前記バッテリを前記バッテリ部に取り付けることで構成されている。
【発明の効果】
【００１２】
本発明の電動作業機を作業者が持つときには、左右一方の手で横ハンドルを持ち、他方の手でトップハンドルを持つことになる。本発明の電動作業機では、バッテリ部やバッテリが左右一方側に寄るように構成されているため、作業者の他方の手の掌や手首を一方側に寄せることができる。したがって、本発明の電動作業機では、作業時にトップハンドルを把持した掌または手首への干渉を抑えることができ、手の動きの自由度が高まるため、電動作業機の取り回しが良くなり、作業効率を高めることができる。
【図面の簡単な説明】
【００１３】
【図１】本発明の第一実施形態に係るチェンソーを示した側面図である。
【図２】本発明の第一実施形態に係るチェンソーを示した平面図である。
【図３】本発明の第一実施形態に係るチェンソーにおいてバッテリを外した状態の斜視図である。
【図４】本発明の第一実施形態に係るチェンソーを前方右上から見た斜視図である。
【図５】本発明の第二実施形態に係るチェンソーを示した平面図である。
【図６】本発明の第三実施形態に係るチェンソーを示した背面図である。
【発明を実施するための形態】
【００１４】
本発明の実施形態の一例について、適宜図面を参照しながら詳細に説明する。
なお、各実施形態の説明において、同一の構成要素に関しては同一の符号を付し、重複した説明は省略するものとする。
各実施形態では、樹木や板などを切断するためのチェンソーに、本発明を適用した構成を例として説明する。以下の説明では、チェンソーの切断部側を前側として、トップハンドル側を上側としている。
【００１５】
［第一実施形態］
第一実施形態のチェンソー１Ａは、図１に示すように、本体ケース１０と、本体ケース１０に設けられた切断部２０と、切断部２０を駆動させるモータ３０と、バッテリ９０と、を備えている。チェンソー１Ａは、本体ケース１０に取り付けたバッテリ９０からモータ３０に電力が供給されることで、切断部２０が駆動する。
【００１６】
本体ケース１０は、図３に示すように、樹脂製の箱体である本体部１１と、本体部１１の上側に設けられたトップハンドル４０と、を備えている。このように、本体ケース１０の上部には、トップハンドル４０が設けられている。また、本体ケース１０の左側面には、横ハンドル５０が取り付けられている。
【００１７】
なお、第一実施形態において、チェンソー１Ａの左側とは、特許請求の範囲における左右一方であり、チェンソー１Ａの右側とは、特許請求の範囲における左右他方である。
【００１８】
本体部１１の前部には、図１に示すように、モータ３０が収容されている。モータ３０は、公知の電動式モータである。モータ３０の出力軸３１は左右方向に延びている。
本体部１１の前部には、モータ３０の他に、モータ３０の駆動を制御する制御基板（図示せず）およびモータ３０の出力軸３１に連結された駆動ギヤ（図示せず）などの駆動機構が収容されている。
【００１９】
トップハンドル４０は、本体部１１の上面に連続して形成されており、本体部１１の上方で前後方向に延びている。
トップハンドル４０の前端部４１は、本体部１１の上面の前端部から上方に向けて突出している。トップハンドル４０の後端部４２は、後記するバッテリ部１２の保持部１３の上端部に連結されている。
【００２０】
トップハンドル４０の前端部４１と後端部４２との間には、前後方向に延びている把持部４３が形成されている。把持部４３は、トップハンドル４０の前端部４１から後端部４２に向けて僅かに斜め下向きに傾斜している。
【００２１】
把持部４３は、作業者がチェンソー１Ａを持つときに把持する部位である。把持部４３と本体部１１の上面との間の空間には、作業者の手が差し込まれる。
把持部４３には、作業者が把持した状態で、ソーチェン２２の回転を増減させるための操作手段であるトリガーレバー４３ａと、トリガーレバー４３ａのロックを解除するロック解除レバー４３ｂと、が設けられている。
【００２２】
図２に示すように、トップハンドル４０の前端部４１の上面には、作業者が把持部４３を右手で把持したときに、右手の親指の腹面を載せるサムレスト４５が設けられている。
また、サムレスト４５の右側には、モータ３０（図１参照）の駆動と停止を切り換える押しボタン式の電源スイッチ４６が設けられている。
また、サムレスト４５には、電源スイッチ４６のオンオフを示すＬＥＤ（発光ダイオード）の表示灯４７が設けられている。
【００２３】
トップハンドル４０の後方には、図１に示すように、バッテリ９０が着脱自在に設置されるバッテリ部１２が設けられている。バッテリ部１２は、本体部１１の後端面に形成されている。
バッテリ部１２には、バッテリ９０を保持する保持部１３と、バッテリ９０の下部が収容されるバッテリケース１４と、が形成されている。
【００２４】
保持部１３は、本体部１１の後端部と、本体部１１の後端部から上方に向けて延びている板状の部位とに形成されている。保持部１３は、上部よりも下部が前方に配置されるように傾斜している。図３に示すように、保持部１３の後面は、上端部から下端部に向かうに連れて漸次前方に変位した傾斜面となっている。保持部１３の上端部には、トップハンドル４０の後端部４２が連結されている。
【００２５】
保持部１３の後面には、バッテリ９０を着脱するための着脱機構１５が設けられている。着脱機構１５には、バッテリ９０が上下方向に嵌め合わされるガイド部材と、バッテリ９０を下側から支持する支持部材（図示せず）と、が設けられている。
保持部１３にバッテリ９０を取り付ける場合には、バッテリ９０を着脱機構１５に対して下方に向けてスライドさせることで、図１に示すように、バッテリ９０を保持部１３に取り付けることができる。
【００２６】
バッテリ９０は、公知のバッテリであり、図３に示すように、上下方向に延びている直方体のケースに、リチウムイオン蓄電池などの二次電池を収容したものである。
バッテリ９０の高さは、図１に示すように、本体部１１の後部の高さよりも大きく形成されている。本実施形態のバッテリ９０は、本体ケース１０に収容するタイプのバッテリよりも大きく形成されている。そして、バッテリ９０は、作業に適した十分な高出力および充電容量を備えている。
【００２７】
バッテリ９０を保持部１３に取り付けた状態では、バッテリ９０の長手方向が本体ケース１０の高さ方向に配置される。また、保持部１３に取り付けたバッテリ９０は、本体部１１の後部と比較して大きく形成されている。バッテリ９０は、本体部１１の後部の高さ方向の中央部を上下方向に跨いでいる。
【００２８】
また、バッテリ９０を保持部１３に取り付けた状態では、バッテリ９０の上端部は、トップハンドル４０の後端部４２の下縁部Ｈ２よりも上方に突出しているとともに、トップハンドル４０の後端部４２の上縁部Ｈ１よりも上方に突出している。
【００２９】
保持部１３には、バッテリ９０をバッテリ部１２から取り外すためのイジェクト機構（図示せず）が設けられている。保持部１３にバッテリ９０を取り付けた状態で、バッテリ９０の上部に設けられたレバーを操作して、イジェクト機構を作動させることで、バッテリ９０を押し上げることができる。
【００３０】
また、保持部１３の後面には、図３に示すように、金属製の接続端子１６が設けられている。接続端子１６は、制御基板およびモータ３０（図１参照）に電気的に接続されている。そして、保持部１３の接続端子１６にバッテリ９０の接続端子が接続されることで、バッテリ９０から制御基板およびモータ３０に電力が供給される。
【００３１】
バッテリケース１４は、図１に示すように、バッテリ部１２の下端部に形成されている。バッテリケース１４は、バッテリ９０の下部が収容される筒状の部位である。バッテリ９０の下部はバッテリケース１４に挿入される。
【００３２】
本体部１１の右側部には、図２に示すように、前方に突出している切断部２０が設けられている。切断部２０は、切断作業用の作業工具であり、ガイドバー２１およびソーチェン２２を備えている。
ガイドバー２１は、前後方向に延びている板状部材であり、ガイドバー２１の後端部が本体部１１の右側部に取り付けられている。
ガイドバー２１の外周部には、環状のソーチェン２２が巻回されている。ソーチェン２２の後端部は、モータ３０の出力軸に連結された駆動ギヤに係合されている。
モータ３０を駆動させて、駆動ギヤ（図示せず）を回転させると、ソーチェン２２がガイドバー２１の外周に沿って回転するように構成されている。
【００３３】
横ハンドル５０は、図３に示すように、本体ケース１０の左側面の前部から後部に亘って、前後方向に延びている。横ハンドル５０は、円柱状の部材を折り曲げて形成されている。
横ハンドル５０の前端部は、トップハンドル４０の前端部４１の左側面に取り付けられている。横ハンドル５０の後端部は、モータ３０の出力軸３１よりも後方かつ下方に配置されており、バッテリケース１４の左側壁に取り付けられている。
横ハンドル５０の前端部と後端部との間の部位は、本体ケース１０の左側面に対して外側に膨らむように湾曲している（図２参照）。
【００３４】
図１に示すチェンソー１Ａによって樹木や板などの切断対象物を切断する場合には、作業者は右手でトップハンドル４０の把持部４３を把持するとともに、左手で横ハンドル５０を把持して、チェンソー１を携帯する。
【００３５】
作業者が右手でトップハンドル４０の把持部４３を把持すると、掌でロック解除レバー４３ｂが押し込まれ、トリガーレバー４３ａのロックが解除される。また、把持部４３を把持した右手の親指の腹面を、図２に示すサムレスト４５に載せることで、作業者はトップハンドル４０を安定して持つことができる。
【００３６】
次に、作業者は右手の親指を右側にずらして電源スイッチ４６を押してオンにする。そして、右手の親指の腹面をサムレスト４５に戻した後に、図１に示すように、右手の人差指でトリガーレバー４３ａを引くと、モータ３０が駆動して、ソーチェン２２が回転する。これにより、ソーチェン２２によって切断対象物を切断できる。
【００３７】
第一実施形態のチェンソー１Ａでは、図４に示すように、トップハンドル４０を把持した掌または手首への干渉を抑えるための第一干渉低減手段１００、第二干渉低減手段２００および第三干渉低減手段３００がトップハンドル４０の後方に設けられている。
【００３８】
第一干渉低減手段１００は、バッテリ部１２の保持部１３の前面１３ａと右側面１３ｂとの間の角部であって、バッテリ９０の前面９０aと対向する部分の上端部を、トップハンドル４０の後端部４２の上縁部よりも下方に配置することで構成されている。
保持部１３の前面１３ａと右側面１３ｂとの間の角部の上端部には、左右方向の内側から外側に向かうに連れて漸次低くなるように傾斜した傾斜面１３ｃが形成されている。
【００３９】
第二干渉低減手段２００は、バッテリ９０の前面９０ａと右側面９０ｂとの間の角部であって、バッテリ９０の前面９０aの上部に、バッテリ９０の前面９０aに対して窪み部９０ｃを形成することで構成されている。
バッテリ９０の前面９０ａと右側面９０ｂとの間の角部の上端部には、左右方向の内側から外側に向かうに連れて漸次低くなるように傾斜した傾斜面９０ｄが形成されている。バッテリ９０の傾斜面９０ｄは、保持部１３の傾斜面１３ｃの後方に連続して配置されている。
【００４０】
第三干渉低減手段３００は、図２に示すように、バッテリ部１２およびバッテリ９０の左右中央Ｐを、トップハンドル４０の把持部４３の左右中央を通過している前後方向の軸線Ｌに対して左側に配置することで構成されている。
バッテリ部１２およびバッテリ９０は、トップハンドル４０の把持部４３に対して右側よりも左側に大きく突出している。つまり、バッテリ部１２およびバッテリ９０の左右中央Ｐを軸線Ｌ上に配置した場合に比べて、トップハンドル４０の把持部４３に対するバッテリ部１２およびバッテリ９０の右側への突出量が小さくなっている。
【００４１】
作業者がトップハンドル４０を右手で把持し、作業者から比較的に遠方の対象物を切断するために、チェンソー１Ａを作業者から少し遠ざけるようとするとき、または、作業者から比較的に上方の対象物を切断するために、チェンソー１Ａを作業者から少し上げようとするときは、作業者の右手をトップハンドル４０から本体ケース１０の後方に向けてやや伸ばすことになる。
【００４２】
このとき、トップハンドル４０を把持した右手の掌または手首は、バッテリ部１２の保持部１３の右前の角部の上端部に形成された傾斜面１３ｃ上に配置される。このように、右手の掌や手首が保持部１３の右側面１３ｂよりも左側に入り込む。
【００４３】
また、トップハンドル４０を把持した右手の掌または手首は、バッテリ９０の右前の角部の上部に形成された窪み部９０ｃ内に配置される。このように、右手の掌や手首がバッテリ９０の右側面９０ｂよりも左側に入り込む。
【００４４】
また、チェンソー１Ａでは、バッテリ部１２およびバッテリ９０の左右中央Ｐが、トップハンドル４０の把持部４３の左右中央よりも左側に配置されている。これにより、右手の掌や手首を左側に寄せることができる。
【００４５】
以上のようなチェンソー１Ａ（電動作業機）では、図２に示すように、バッテリ部１２およびバッテリ９０が左側に寄るように構成されているため、チェンソー１Ａを作業者から比較的に遠ざけたとき、または、比較的に上方に上げたときに、右手の掌や手首を左側に寄せることができる。したがって、作業者は右手を本体ケース１０から後方に向けて伸ばし易くなる。
このように、チェンソー１Ａでは、作業時にトップハンドル４０を把持した掌または手首と、バッテリ部１２およびバッテリ９０との干渉を抑えることができるため、手の動きの自由度が高まる。
また、チェンソー１Ａでは、図１に示すように、本体ケース１０の前部にモータ３０が収容され、後部に大きなバッテリ９０を取り付けられているため、チェンソー１Ａの前後の重量バランスが良い。
したがって、第一実施形態のチェンソー１Ａでは、作業時の取り回しが良くなり、作業効率を高めることができる。
【００４６】
第一実施形態のチェンソー１Ａでは、バッテリ部１２に取り付けたバッテリ９０の長手方向が、本体ケース１０の高さ方向に配置されている。この構成では、バッテリ９０の長手方向を横方向に向けた場合に比べて、バッテリ９０を高さ方向に大きくしても、バッテリ９０の重心を前側に寄せることができる。したがって、大きなバッテリ９０を備えたチェンソー１Ａの作業時の取り回しを良くできるとともに、チェンソー１Ａを小型化できる。
【００４７】
第一実施形態のチェンソー１Ａにおいて、バッテリ９０を保持部１３に取り付けた状態では、バッテリ９０の上端部は、トップハンドル４０の後端部４２の下縁部Ｈ２よりも上方に突出しているとともに、トップハンドル４０の後端部４２の上縁部Ｈ１よりも上方に突出している。このように、バッテリ９０の高さを設定することで、バッテリ９０の出力および充電容量を大きくできる。
【００４８】
第一実施形態のチェンソー１Ａでは、バッテリ部１２の上部が下部よりも後方に配置されるように傾斜しており、バッテリ９０が把持部４３から後方に離れるように傾斜している。この構成では、バッテリ９０を上下方向に長くしても、作業者が把持部４３を把持したときに、バッテリ９０の上部が邪魔にならないため、チェンソー１Ａの操作性を低下させることなく、バッテリ９０を大きくできるとともに、バッテリ９０を前記したように傾斜させることにより、バッテリ９０の下部が前方に位置するので、トップハンドル４０を軸にしたときの重心を前側に寄せることが可能となる。
【００４９】
以上、本発明の第一実施形態について説明したが、本発明は前記第一実施形態に限定されることなく、その趣旨を逸脱しない範囲で適宜に変更が可能である。
第一実施形態のチェンソー１Ａには、図２に示すように、第一干渉低減手段１００、第二干渉低減手段２００および第三干渉低減手段３００の三つが設けられている。しかしながら、チェンソー１Ａには、第一干渉低減手段１００、第二干渉低減手段２００および第三干渉低減手段３００の少なくとも一つが設けられていればよい。
【００５０】
第一実施形態のチェンソー１Ａでは、トップハンドル４０を右手で把持するように構成されている。例えば、トップハンドル４０を左手で把持するように構成した場合には、第一干渉低減手段１００、第二干渉低減手段２００および第三干渉低減手段３００の左右を反転させればよい。
【００５１】
第一実施形態では、本発明を適用したチェンソー１Ａについて説明しているが、本発明を適用可能な電動作業機は限定されるものではなく、刈払機、ヘッジトリマー、ブロワなどの各種の電動作業機に適用可能である。
【００５２】
［第二実施形態］
次に、本発明の第二実施形態のチェンソー１Ｂについて説明する。
第二実施形態のチェンソー１Ｂは、前記した第一実施形態のチェンソー１Ａ（図２参照）と略同様な構成であり、第四干渉低減手段４００を備えている点が異なっている。
【００５３】
第四干渉低減手段４００は、図５に示すように、バッテリ９０の後端部の左右中央よりも前端部の左右中央が左側に配置されるように傾斜した状態で、バッテリ９０をバッテリ部１２に取り付けることで構成されている。
第二実施形態のバッテリ部１２の保持部１３は、トップハンドル４０の把持部４３の左右中央に対して右側よりも左側に大きく突出している。
【００５４】
第二実施形態のチェンソー１Ｂでは、バッテリ部１２およびバッテリ９０の前部が後部よりも左側に寄せられているため、トップハンドル４０を把持した右手の掌や手首を左側に寄せることができる。
このように、第二実施形態のチェンソー１Ｂでは、作業時にトップハンドル４０を把持した掌または手首への干渉を抑えることができ、手の動きの自由度が高まるため、作業時の取り回しが良くなり、作業効率を高めることができる。
【００５５】
以上、本発明の第二実施形態について説明したが、本発明は前記第二実施形態に限定されることなく、第一実施形態と同様に、その趣旨を逸脱しない範囲で適宜に変更が可能である。
第二実施形態のチェンソー１Ｂには、第四干渉低減手段４００に加えて、第一干渉低減手段１００、第二干渉低減手段２００および第三干渉低減手段３００の少なくとも一つを設けてもよい。また、第二実施形態のチェンソー１Ｂには、第四干渉低減手段４００のみを設けてもよい。
【００５６】
第二実施形態のチェンソー１Ｂにおいて、トップハンドル４０を左手で把持するように構成した場合には、第四干渉低減手段４００の左右を反転させる。
【００５７】
［第三実施形態］
次に、本発明の第三実施形態のチェンソー１Ｃについて説明する。
第三実施形態のチェンソー１Ｃは、前記した第一実施形態のチェンソー１Ａ（図２参照）と略同様な構成であり、第五干渉低減手段５００を備えている点が異なっている。
【００５８】
第五干渉低減手段５００は、図６に示すように、バッテリ９０の下端部の左右中央よりも上端部の左右中央が左側に配置されるように傾斜した状態で、バッテリ９０をバッテリ部１２に取り付けることで構成されている。
第三実施形態のチェンソー１Ｃでは、バッテリ部１２の保持部１３（図４参照）が下端部よりも上端部が左側に配置されるように傾斜している。
【００５９】
第三実施形態のチェンソー１Ｃでは、バッテリ９０の上端部が下端部よりも左側に寄せられているため、トップハンドル４０を把持した右手の掌や手首を左側に寄せることができる。
このように、第三実施形態のチェンソー１Ｃでは、作業時にトップハンドル４０を把持した掌または手首への干渉を抑えることができ、手の動きの自由度が高まるため、作業時の取り回しが良くなり、作業効率を高めることができる。
【００６０】
以上、本発明の第三実施形態について説明したが、本発明は前記第三実施形態に限定されることなく、第一実施形態と同様に、その趣旨を逸脱しない範囲で適宜に変更が可能である。
第三実施形態のチェンソー１Ｃには、第五干渉低減手段５００に加えて、第一干渉低減手段１００（図２参照）、第二干渉低減手段２００（図２参照）、第三干渉低減手段３００（図２参照）および第四干渉低減手段４００（図５参照）の少なくとも一つを設けてもよい。また、第三実施形態のチェンソー１Ｃには、第五干渉低減手段５００のみを設けてもよい。
【００６１】
第三実施形態のチェンソー１Ｃにおいて、トップハンドル４０を左手で把持するように構成した場合には、第五干渉低減手段５００の左右を反転させる。
【符号の説明】
【００６２】
１Ａ    チェンソー（第一実施形態）
１Ｂ    チェンソー（第二実施形態）
１Ｃ    チェンソー（第三実施形態）
１０    本体ケース
１１    本体部
１２    バッテリ部
１３    保持部
１３ｃ  傾斜面
１４    バッテリケース
２０    切断部
２１    ガイドバー
２２    ソーチェン
３０    モータ
４０    トップハンドル
４３    把持部
４５    サムレスト
４６    電源スイッチ
４７    表示灯
５０    横ハンドル
９０    バッテリ
９０ｃ  窪み部
９０ｄ  傾斜面
１００  第一干渉低減手段
２００  第二干渉低減手段
３００  第三干渉低減手段
４００  第四干渉低減手段
５００  第五干渉低減手段
【図１】
2020157407.tif 000003
【図２】
2020157407.tif 000004
【図３】
2020157407.tif 000005
【図４】
2020157407.tif 000006
【図５】
2020157407.tif 000007
【図６】
2020157407.tif 000008